(57)【要約】      （修正有）【課題】安価で設置面積が小さく、距離に見合った適正な強さでパットしたかどうかの距離感を出す練習をすることが出来るゴルフパット練習用用具を提供する。【解決手段】パットされたゴルフボールの運動エネルギーが所定の閾値以上の場合に、ゴルフボールの通過が可能な、フレーム１にアーム２を設けたゲートを有するパットの距離感判定手段を備えたゴルフパット練習用用具。【選択図】図１
0003117912.tif 000002
【実用新案登録請求の範囲】
【請求項１】
パットされたゴルフボールの運動エネルギーが所定の閾値以上の場合に、ゴルフボールの通過が可能な、門型のフレーム（１）の架設部（１ａ）の所定の位置に垂下するアーム（２）を設けたゲートを有するパットの距離感判定手段を備えた、ゴルフパット練習用用具。
【請求項２】
前記アーム（２）を傾動可能にし、該アーム（２）を反傾動側方向に所定の付勢力で付勢する付勢手段を備えた、請求項１に記載のゴルフパット練習用用具。
【請求項３】
該付勢手段の付勢力が弾性体（４）によることを特徴とする請求項１又は請求項２に記載のゴルフパット練習用用具。
【請求項４】
前記アーム（２）が可撓性を有する部材で構成された、請求項１から請求項３のいずれか一項に記載のゴルフパット練習用用具。
【考案の詳細な説明】
【技術分野】
【０００１】
ゴルフパット練習用用具に関する。
【背景技術】
【０００２】
従来の考案品は、パットしたボールは強く打っても弱く打っても衝突後、練習用用具の手前に貯まっていた。（例えば、特許文献１参照）
【０００３】
従来の考案品は、穴、又はカップに入るようにパットをし、その中に入ったことを電気的手段で確認して電気的手段で報知する大がかりなものであった。（例えば、特許文献２、特許文献３参照）
【特許文献１】実開平６−６３０７６号公報
【特許文献２】実開平７−２４３７１号公報
【特許文献３】特開２００３−１８０９００号公報
【考案の開示】
【考案が解決しようとする課題】
【０００４】
特許文献１の考案品は、適正な強さでパットしたかどうか判断出来ず、距離に見合ったパットの強さの距離感を出す練習をすることは出来なかった。
【０００５】
特許文献２、特許文献３の考案品は、パットしたボールが、穴、又はカップに適正な強さで入ったかどうか判断出来ず、距離に見合ったパットの強さをどの程度にするのかのパットの距離感を出す練習をすることは出来なかった。さらに、設置面積も大きく、持ち運びにも不便であり、簡単に取り出して練習できるものではなかった。
【０００６】
この考案は、設置面積が小さく、パットする距離に見合った適正な強さでパットしたかどうかのパットの距離感を出す練習をすることが出来るパットの距離感判定手段を備えた、ゴルフパット練習用用具を提供するのが目的である。
【課題を解決するための手段】
【０００７】
パットされたゴルフボールの運動エネルギーが所定の閾値以上の場合に、ゴルフボールの通過が可能な、門型のフレームの架設部の所定の位置に垂下するアームを設けたゲートを有するパットの距離感判定手段を備えた、請求項１のゴルフパット練習用用具を構成する。
【０００８】
請求項１に記載のものであって、前記アームを傾動可能にし、該アームを反傾動側方向に所定の付勢力で付勢する付勢手段を備えた、請求項２のゴルフパット練習用用具を構成する。
【０００９】
請求項１又は請求項２記載のものであって、該付勢手段の付勢力が弾性体によることを特徴とする請求項３のゴルフパット練習用用具を構成する。
【００１０】
請求項１から請求項３のいずれか一項に記載のものであって、前記アームが可撓性を有する部材で構成された、請求項４のゴルフパット練習用用具を構成する。
【００１１】
ここで傾動とは、一方向に傾いて動くことをいい、フレームに取り付けられたアームの下端部を押しながら、ゴルフボールの進行方向にアームの上端部もしくは上端部に備わった軸の軸芯を基準にして傾むくことをいう。又、その基準を傾動基準とする。
【００１２】
ここで弾性体とは、外力を加えることによって、撓むか、あるいは、縮むか変形し、外力を取り除くことにより、元に戻る能力を有するものであればよく、具体的には、コイルばね、板ばね、ねじりコイルばね等の金属ばね類の他、ゴムばねや空気ばね等の非金属ばね類等を単種類で、或いは、組み合わせて使用することが出来る。
非金属ばねには樹脂ばねも含む。又、弾性力とは、変形した弾性体が元の状態にも戻ろうとして他の物体に及ぼす力を言う。
【００１３】
ここでゲートとは、一般に門と扉を設けて人が出入りする出入口や、水門などのように可動する仕切り板を設けて水を出入りさせる出入口など、人や物、情報などが出入りする出入口を言うが、本発明でも、門に相当するフレームと扉に相当するアームを有してゴルフボールが出入りする出入口を構成しているので、フレームにアームを設けて、またはフレームにアームを取り付けてゲートと言う。
【００１４】
アームの長さを一定としたときは、パットされたゴルフボールがアームにあたった時の力による、アームの下端部をゴルフボールが通過出来る一定の高さまで押し上げ傾動させる傾動基準を基準とするモーメントが、アームの自重による傾動基準を基準とするモーメントと、アームを押している弾性体による傾動基準を基準とするモーメントの合計よりも大きければ、ゴルフボールはアームの下端部を押し上げ傾動させてゲートを通過して行き、基準とするモーメントの合計よりも小さければ、ゴルフボールはゲートを通過する事が出来ないが、アームにあたった時の力に応じた分だけ、アームの下端部を押し上げ傾動させた後、アームはアームの自重と弾性体の弾性力で傾動前に復帰しゴルフボールを進入してきた方向に押し戻す。
【００１５】
このように、アームの自重と弾性体の弾性力で、パットされたゴルフボールを通過させるかさせないかを決めることが出来、アームに当たる直前において、パットされたゴルフボールに一定以上の力が残っていればゲートを通過出来るようにアームの自重と弾性体の弾性力を調整しておけば、それ以外は押し戻される。
【００１６】
フレームにアームを可撓性を有する部材で構成して取り付けたゲートを有してパットの距離感判定手段とする時は、アームの長さを一定としたとき、アームは一般の片持梁の自由端部に荷重が作用した時と同じように、パットされたゴルフボールがアームにあたった時の力によりアームの自由端部が撓むので、撓む量を、パットされたゴルフボールに一定以上の力が残っていれば、ゴルフボールがゲートを通過出来るようにアームの可撓性の仕様で決めておけばゴルフボールは通過出来る。可撓性の仕様を変えることによりパットされたゴルフボールの通過、非通過を調整出来る。ゴルフボールがゲートを通過出来なければアームの撓みに応じた力によってゴルフボールは押し戻され、適切な力でパットされたかどうか判定可能なパットの距離感判定手段となり、距離感を判定して練習が出来るゴルフパット練習用用具となる。
【考案の効果】
【００１７】
パットで一番重要なことは、カップまでの距離をパットのラインに合わせてどの程度の力でパットするか、その距離感であると言われてる。グリーン上では近すぎるパットを除けばどの位置からでも、カップからカップよりおよそ３０ｃｍくらい行き過ぎる範囲の力でパットするのが望ましいと言われているので、例えば、この一定以上の力を、３５ｃｍ行き過ぎる力に設定しておいて、パットされたゴルフボールが押し戻されれば、それは、カップからカップより３５ｃｍを下回るおよそ３０数ｃｍくらい行き過ぎる範囲の力でパットされていたことになる。つまり、パットする距離に関わらずパットしたゴルフボールが押し戻されれば、それはその距離にあった適切な力でパットしたことになり、それにより距離感を判定して練習が出来る。
【考案を実施するための最良の形態】
【００１８】
本考案の最良の形態について説明する。
本考案のゴルフパット練習用用具は、パットされたゴルフボールの運動エネルギーが所定の閾値以上の場合に、ゴルフボールの通過が可能な、門型のフレームの架設部の所定の位置に垂下するゴルフボールの当たる的となるゴルフボールの進行方向に傾動可能な所定の長さで、所定の幅のアームを設けたゲートを有し、該アームを反傾動側方向に所定の付勢力で付勢する弾性体によることを特徴とする付勢手段を備えたことにより、パットの距離感判定手段を得て、それにより距離感を判定してパットの練習が出来る。
【００１９】
又、本考案のゴルフパット練習用用具は、パットされたゴルフボールの運動エネルギーが所定の閾値以上の場合に、ゴルフボールの通過が可能な、門型のフレームの架設部の所定の位置に垂下する所定の長さで、所定の幅のアームを取り付け、該アームを可撓性を有する部材で構成してゲートを有することにより、パットの距離感判定手段を得て、それにより距離感を判定してパットの練習が出来る。
【実施例１】
【００２０】
実施の形態例１について説明する。図１は図２のＡ−Ａ断面図である。
図１．図２において、相対する一対の柱脚部１ｂと、この柱脚部１ｂのそれぞれ一方の端部に架設する架設部１ａを有する門型のフレーム１を構成する。フレーム１の材質は鉄製とした。フレーム１の材質は鉄製だけに限定されない、プラスチックなどの樹脂製でもよいし、ゴム製や木製でもよい。又、架設部１ａと柱脚部１ｂの材質は同じ材質であることに限定されない、例えば、架設部１ａを鉄製で柱脚部１ｂをゴム製で構成してもよい。
【００２１】
柱脚部１ｂと架設部１ａは固着した。柱脚部１ｂと架設部１ａは固着することに限定されない、ボルトで接続して長穴を用いて柱脚部１ｂを移動可能にし、パットする人がゴルフボールが通過する柱脚部１ｂの面間の幅を調整出来るようにしてもよい。
【００２２】
相対する一対の柱脚部１ｂの面間の寸法は１００ｍｍとした。面間の寸法は１００ｍｍであることに限定されない、５０ｍｍ程度以上１１０ｍｍ程度以下でもよい。
【００２３】
アーム２の下端から柱脚部１ｂの下面までの距離１７は３６ｍｍとした。柱脚部１ｂの下面はグリーン上面上やマット上面上に置かれる。距離１７は３６ｍｍに限定されない。
【００２４】
軸保持部１３で保持された軸３の軸芯を傾動基準にし、アーム２をその傾動基準に傾動可能に取り付け、フレーム１の架設部１ａの適応する位置にその軸保持部１３をボルト１４で取り付け、パットされたゴルフボールの運動エネルギーが所定の閾値以上の場合に、ゴルフボールの通過が可能な、ゲートを構成する。
【００２５】
ゴルフボールは的であるアーム２に向かってパットされる。パットされたゴルフボールが的であるアーム２に当たると、アーム２はゴルフボールの進行方向に傾動する。
アーム２の材質は鉄製とした。該材質は鉄製だけに限定されない、プラスチックなどの樹脂製でもよいし、木製でもよい。
【００２６】
弾性体４はフレーム１の中央部に１箇所設けて、弾性体４の一方を外周にねじを切った弾性体保持部５に取り付け、弾性体４の他方の端でアーム２を押すようにし、ブラケット７を介してフレーム１の架設部１ａにボルト９で取り付ける。弾性体保持部５には弾性体保持部５が緩まないように緩み止め８を設ける。弾性体保持部５の外周のねじにより弾性体保持部５の位置を移動調整出来、弾性体４がアーム２を押す力を調整出来るように構成にした。弾性体４がアーム２を押す力を変える場合、弾性体保持部５の位置を移動調整することだけに限定されない。弾性体４自体を取り替えてもよい。
弾性体４は１箇所だけに限定されない、少なくとも１箇所以上設ければよく、２箇所でもよいし、中央部だけにも限定されない。
【００２７】
外周にねじを切ったストッパー６を、該ストッパー６の一方の端をアーム２に接触させてストッパーブラケット１０を介してフレーム１の架設部１ａの中央部に１箇所設けた。ストッパーブラケット１０はボルト１２で取り付け、ストッパー６には緩み止め１１を設ける。ストッパー６は中央部の１箇所だけに限定されない。少なくとも１箇所以上設ければよく２箇所設けてもよいし、中央部だけにも限定されない。
【００２８】
アーム２の長さを一定としたときは、パットされたゴルフボールがアーム２にあたった時の力による、アーム２の下端部をゴルフボールが通過出来る一定の高さまで押し上げ傾動させる傾動基準を基準とするモーメントが、アーム２の自重による傾動基準を基準とするモーメントと、アーム２を押している弾性体４による傾動基準を基準とするモーメントの合計よりも大きければ、ゴルフボールはアーム２の下端部を押し上げ傾動させてゲートを通過して行き、基準とするモーメントの合計よりも小さければ、ゴルフボールはゲートを通過する事が出来ないが、アーム２にあたった時の力に応じた分だけ、アーム２の下端部を押し上げ傾動させた後、アーム２はアーム２の自重と弾性体４の弾性力で傾動前に復帰しゴルフボールを進入してきた方向に押し戻し、アーム２はストッパー６に当たって停止する。
【００２９】
このように、アーム２の自重と弾性体４の弾性力で、パットされたゴルフボールを通過させるかさせないかを決めることが出来、アーム２に当たる直前において、パットされたゴルフボールに一定以上の力が残っていればゲートを通過出来るようにアーム２の自重と弾性体４の弾性力を調整しておけば、それ以外は押し戻され、適切な力でパットされたかどうか判定可能なパットの距離感判定手段となり、距離感を判定して練習が出来るゴルフパット練習用用具となる。
【００３０】
アーム２の長さを変えた時は、基準とするモーメントの合計が変わってくるので、それに応じて、必要とされるアーム２の自重と弾性体４の弾性力も変わってくる。
【００３１】
パットする力はカップからカップよりおよそ３０ｃｍくらい行き過ぎる範囲の力でパットするのが望ましいと言われているが、人によっては行き過ぎる範囲は３０ｃｍくらいではなく２０ｃｍくらいで練習したい、あるいは６０ｃｍくらいで練習したいと考える人もいるし、考える時もあるが、弾性体保持部５の位置を調整することにより弾性体４の長さを変て弾性体４の弾性力を調整する事が出来るので、行き過ぎる範囲の力は調整することが出来る。
【００３２】
弾性体４を設けることにより、パットする前に該アーム２が周りからの振動等によりブラブラするのを止める事が出来る。
【００３３】
弾性体４には圧縮コイルばねを使用している。弾性体４は圧縮コイルばねだけに限定されない、引っ張りばねで反対側であるストッパー６側から引っ張ってもよい。弾性体４には、外力を加えることによって、撓むか、あるいは、縮むか変形し、外力を取り除くことにより、元に戻る能力を有するものであればよく、具体的には、コイルばね、板ばね、ねじりコイルばね等の金属ばね類の他、ゴムばねや空気ばね等の非金属ばね類等を単種類で、或いは、組み合わせて使用することが出来る。非金属ばねには樹脂ばねも含まれる。
【００３４】
ゴルフパット練習用用具はグリーン上やマット上等に置いて使用される。
【実施例２】
【００３５】
実施の形態例２について説明する。図３は図４のＡ−Ａ断面図である。
本形態は図１．図２の実施例１とは、図及び以下に説明する異なる構成部分を除いて同様であるので、同様の構成、作用、効果については説明を省略する。
【００３６】
図３．図４は、パットされたゴルフボールの運動エネルギーが所定の閾値以上の場合に、ゴルフボールの通過が可能な、門型のフレーム１の架設部１ａの所定の位置に垂下するアーム２０２を可撓性を有する部材で構成して取り付けたゲートを有する場合のパットの距離感判定手段を備えた、ゴルフパット練習用用具である。
【００３７】
アーム２０２の長さを一定としたときは、フレーム１にアーム２０２を可撓性を有する部材で構成して取り付けたゲートを有してパットの距離感判定手段とする時、アーム２０２は一般の片持梁の自由端部に荷重が作用した時と同じように、ゴルフボールがアーム２０２にあたった時の力によりアーム２０２の自由端部が撓むので、撓む量を、パットされたゴルフボールに一定以上の力が残っていれば、ゴルフボールがゲートを通過出来るように可撓性の仕様で決めておけばゴルフボールは通過出来る。アーム２０２の可撓性の仕様を変えることによりゴルフボールの通過、非通過を調整出来る。ゴルフボールがゲートを通過出来なければアーム２０２の撓みに応じた力によってゴルフボールは押し戻され、適切な力でパットされたかどうか判定可能なパットの距離感判定手段となり、距離感を判定して練習が出来るゴルフパット練習用用具となる。
【００３８】
アーム２０２の長さを変えた時は、それに応じて、必要とされるアーム２０２の可撓性の仕様も変わってくる。
【実施例３】
【００３９】
実施の形態例３について説明する。図５は図６のＡ−Ａ断面図である。
本形態は図１．図２の実施例１とは、図及び以下に説明する異なる構成部分を除いて同様であるので、同様の構成、作用、効果については説明を省略する。
【００４０】
図５、図６は、パットされたゴルフボールの運動エネルギーが所定の閾値以上の場合に、ゴルフボールの通過が可能な、門型のフレーム１の架設部１ａの所定の位置に垂下するアーム３０２を可撓性を有する部材で構成し、アーム３０２の固定端部にねじりコイルばねの弾性体３０４を設けたゲートを有する場合のパットの距離感判定手段を備えた、ゴルフパット練習用用具である。
【００４１】
該アーム３０２はねじりコイルばねの弾性体３０４の付勢力により付勢されて、ストッパー６に押し付けられている。
【００４２】
アーム３０２の長さを一定としたときは、フレーム１にアーム３０２を可撓性を有する部材で構成し、アーム３０２の固定端部にねじりコイルばねの弾性体３０４を設けたゲートを有してパットの距離感判定手段とする時、アーム３０２は一般の片持梁の自由端部に荷重が作用した時と同じように、ゴルフボールがアーム３０２にあたった時の力によるアーム３０２の自由端部の撓みとアーム３０２の固定端部のねじりコイルばねの弾性体３０４の撓みとで撓むので、撓む量を、パットされたゴルフボールに一定以上の力が残っていれば、ゴルフボールがゲートを通過出来るようにアーム３０２の可撓性の仕様、ねじりコイルばねの弾性体３０４の仕様で決めておけばゴルフボールは通過出来る。可撓性の仕様、ねじりコイルばねの弾性体３０４の仕様の両方またはどちらか一方を変えることによりパットされたゴルフボールの通過、非通過を調整出来る。ゴルフボールがゲートを通過出来なければアーム３０２の撓みに応じた力によってゴルフボールは押し戻され、適切な力でパットされたかどうか判定可能なパットの距離感判定手段となり、距離感を判定して練習が出来るゴルフパット練習用用具となる。
【００４３】
アーム３０２の長さを変えた時は、それに応じて、必要とされる、アーム３０２の可撓性の仕様、ねじりコイルばねの弾性体３０４の仕様も変わってくる。
【実施例４】
【００４４】
実施の形態例４について説明する。図７は図８のＡ−Ａ断面図である。
本形態は図１．図２の実施例１とは、以下に説明する異なる構成部分を除いて同様であるので、同様の構成、作用、効果については説明を省略する。
【００４５】
図７、図８は図１．図２の軸保持部１３は使用せず、図１．図２の軸３に相当する軸４０３を柱脚部内側１６に取り付けて、架設部１ａの所定の位置に垂下するアーム４０２を設けたゴルフパット練習用用具である。
【図面の簡単な説明】
【００４６】
【図１】本考案の実施の形態を示した実施例１のＡ−Ａ断面図である。
【図２】本考案の実施の形態を示した実施例１の正面図である。
【図３】本考案の実施の形態を示した実施例２のＡ−Ａ断面図である。
【図４】本考案の実施の形態を示した実施例２の正面図である。
【図５】本考案の実施の形態を示した実施例３のＡ−Ａ断面図である。
【図６】本考案の実施の形態を示した実施例３の正面図である。
【図７】本考案の実施の形態を示した実施例４のＡ−Ａ断面図である。
【図８】本考案の実施の形態を示した実施例４の正面図である。
【符号の説明】
【００４７】
１      フレーム
１ａ    架設部
１ｂ    柱脚部
２      アーム
３      軸
４      弾性体  
５ 弾性体保持部
６ ストッパー
７ ブラケット
８ 緩み止め
９ ボルト
１０ ストッパーブラケット
１１ 緩み止め
１２ ボルト
１３ 軸保持部
１４ ボルト
１５ ゲート進入前のパットされたゴルフボールの位置
１６    柱脚部内側
１７    アーム２の下端から柱脚部１ｂの下面までの距離
２０２  アーム
３０２  アーム
３０４  弾性体
４０２  アーム
４０３  軸
【図１】
0003117912.tif 000003
【図２】
0003117912.tif 000004
【図３】
0003117912.tif 000005
【図４】
0003117912.tif 000006
【図５】
0003117912.tif 000007
【図６】
0003117912.tif 000008
【図７】
0003117912.tif 000009
【図８】
0003117912.tif 000010